(57)【特許請求の範囲】
【請求項１】
移動端末及び無線基地局を備える無線通信システムにおける、前記無線基地局のセル内の少なくとも一部のエリア部分の通信品質の測定方法であって、
地理的な位置を表現する地理情報に所定の演算を施して得られる、前記エリア部分を特定する特定情報を、前記無線基地局から前記移動端末に対して送信する第１送信工程と、
前記無線端末が、自端末の位置を示す地理情報を取得して当該地理情報に前記所定の演算を施して得られる前記特定情報と、前記無線基地局から受信した前記特定情報とが一致する場合に、前記移動端末と前記無線基地局との間の通信品質を示す品質情報を前記移動端末側で測定する測定工程と、
前記所定の演算を施して得られる前記特定情報と前記無線基地局から受信した前記特定情報とが一致する場合に、前記移動端末側で測定された前記品質情報を前記移動端末から前記無線基地局に対して送信する第２送信工程と
を備えることを特徴とする通信品質の測定方法。
【請求項２】
前記第１送信工程は、前記移動端末が前記品質情報を測定し且つ当該測定した前記品質情報を前記無線基地局に対して送信する通信品質測定動作を制御するための制御情報を用いて、前記特定情報を送信することを特徴とする請求項１に記載の測定方法。
【請求項３】
前記第１送信工程は、前記無線基地局から前記移動端末を呼び出すための呼出情報を用いて、前記特定情報を送信することを特徴とする請求項１に記載の測定方法。
【請求項４】
前記第１送信工程は、前記セル中に位置する前記移動端末に対して一斉に送信される報知情報を用いて、前記特定情報を送信することを特徴とする請求項１に記載の測定方法。
【請求項５】
前記通信品質の測定値と前記通信品質の目標値との差分に基づいて、前記特定情報が特定する一部のエリア部分を決定する決定工程を更に備えることを特徴とする請求項１に記載の測定方法。
【請求項６】
地理的な位置を表現する地理情報に所定の演算を施して得られる、セル内の少なくとも一部のエリア部分を特定する特定情報を、移動端末に対して送信する送信手段と、
前記移動端末が自端末の位置を示す地理情報を取得して当該地理情報に前記所定の演算を施して得られる前記特定情報と、自基地局が前記移動端末へ送信した前記特定情報とが一致する場合に前記移動端末によって測定される前記移動端末と前記自基地局との間の通信品質を示す品質情報であって且つ前記移動端末より送信される品質情報を受信する受信手段と
を備えることを特徴とする無線基地局。
【請求項７】
地理的な位置を表現する地理情報に所定の演算を施して得られる、無線基地局のセル内の少なくとも一部のエリア部分を特定する特定情報であって且つ前記無線基地局から送信される特定情報を受信する受信手段と、
自端末の位置を示す地理情報を取得して当該地理情報に前記所定の演算を施して得られる前記特定情報と、前記無線基地局から受信した前記特定情報とが一致する場合に、前記無線基地局との間の通信品質を示す品質情報を測定する測定手段と、
前記所定の演算を施して得られる前記特定情報と前記無線基地局から受信した前記特定情報とが一致する場合に、測定された前記品質情報を前記無線基地局に対して送信する送信手段と
を備えることを特徴とする移動端末。
【請求項８】
移動端末及び無線基地局を備える無線通信システムであって、
前記無線基地局は、
地理的な位置を表現する地理情報に所定の演算を施して得られる、前記無線基地局のセル内の少なくとも一部のエリア部分を特定する特定情報を、前記移動端末に対して送信する第１送信手段を備え、
前記移動端末は、
前記移動端末と前記無線基地局との間の通信品質を示す品質情報を測定する測定手段と、
自端末の位置を示す地理情報を取得して当該地理情報に前記所定の演算を施して得られる前記特定情報と、前記無線基地局から受信した前記特定情報とが一致する場合に、測定された前記品質情報を前記無線基地局に対して送信する第２送信手段と
を備えることを特徴とする無線通信システム。
【発明の詳細な説明】
【技術分野】
【０００１】
本発明は、例えば携帯電話システム等の無線通信システムにおいて無線基地局がカバーするセル内の一部のエリア部分の通信品質を測定する測定方法、移動端末及び無線基地局、並びに無線通信システムに関する。
【背景技術】
【０００２】
携帯電話システム等の無線通信システムにおいては、移動端末の周辺環境の影響（例えば、建造物による電波の反射や電波干渉等）により、無線通信サービスを提供することができない不具合エリアが各無線基地局の通信エリア（例えば、セルないしはセクタ）内に発生することが知られている。また、都市部等では、新たなに建造物が建設されることで移動端末の周辺環境が変化し、その結果、それまで無線通信サービスを提供することが可能であったエリアが、新たに不具合エリアとなってしまう事態も発生しかねない。このため、近年検討が進められているＳＯＮ（Self Optimizing Network）に基づくシステムの構成管理や性能最適化や障害対処の自動化という観点からは、無線基地局が不具合エリアの位置を確実に認識することが好ましい。【０００３】
無線基地局が不具合エリアの位置を認識するための手法の一例として、例えばセルレベルでの無線リンク断の発生数の増加や通常の状態とは異なる負荷状態を検出した場合に、移動端末が測定する無線通信の通信品質（いわゆる、Ｍｅａｓｕｒｅｍｅｎｔ  Ｒｅｐｏｒｔの測定結果）に基づいてセル内の各地点の通信品質の状態を調査することで、不具合エリアの発見や位置の認識（特定）を行う手法が考えられる。或いは、定期的に、移動端末が測定する無線通信の通信品質に基づいてセル内の各地点の通信品質の状態を調査することで、不具合エリアの発見や位置の認識（特定）を行う手法が考えられる。
【先行技術文献】
【特許文献】
【０００４】
【特許文献１】特開２００２−２７１８３３号公報
【非特許文献】
【０００５】
【非特許文献１】３ＧＰＰ  ＴＳ３６．３０５  “Evolved Universal Terrestrial Radio Access Network (E-UTRAN); Stage 2 functional specification of User Equipment (UE) positioning in E-UTRAN”
【非特許文献２】３ＧＰＰ  ＴＲ３６．９０２  ｖｅｒｓｉｏｎ１．２．０  “Evolved Universal Terrestrial Radio Access Network (E-UTRAN); Self-configuring and self-optimizing network (SON) use cases and solutions”
【発明の概要】
【発明が解決しようとする課題】
【０００６】
一方で、上述した手法を行うためには、無線基地局は、セル内の特定の地点に位置する移動端末に対して、通信品質の測定及び報告を行わせる必要がある。このため、無線基地局は、自身がカバーするセル内に位置する多数の移動端末の夫々の位置を認識すると共に、特定の地点に位置する一部の移動端末に対して選択的に、通信品質の測定及び報告を行わせるための指示を出す必要がある。しかしながら、現状の移動端末による通信品質の測定及び報告動作（いわゆる、Ｍｅａｓｕｒｅｍｅｎｔ  Ｒｅｐｏｒｔ）には、特定の地点に位置する移動端末に対して選択的に通信品質の測定及び報告を行わせるための仕組みが組み込まれていない。従って、無線基地局は、例えば携帯電話を持つ子供の位置を親が把握することを目的としてサービス展開されているいわゆる「ロケーションサービス」等を本来の目的とは異なった目的に使用することで、自身がカバーするセル内に位置する多数の移動端末の夫々の位置を認識する必要がある。この場合、セル内に位置する多数の移動端末の全てに対して上述した「ロケーションサービス」のための動作を行う必要があるため、処理負荷が大幅に増加してしまうという技術的な問題点が生じかねない。従って、無線通信システムの処理負荷が高くなり、結果として、無線通信システム全体での輻輳も発生するという技術的な問題が生じかねない。【０００７】
本発明が解決しようとする課題には上記のようなものが一例として挙げられる。本発明は、例えば不具合エリアの位置を特定しつつも処理負荷を低減することが可能な不具合エリアの特定方法、無線基地局及び移動端末、並びに無線通信システムを提供することを目的とする。
【課題を解決するための手段】
【０００８】
上記課題は、第１送信工程と測定工程と第２送信工程とを備える通信品質の測定方法によって解決される。尚、当該通信品質の測定方法は、例えば移動端末及び無線基地局を備える無線通信システムによって行われる。第１送信工程では、無線基地局のセル内の少なくとも一部のエリア部分を特定する（例えば、エリア部分の位置を特定する）特定情報が、無線基地局から移動端末に対して送信される。測定工程では、特定情報が特定するエリア部分に移動端末が位置している（つまり、存在している）場合に、移動端末と無線基地局との間の通信品質を示す品質情報が移動端末によって測定される。第２送信工程では、特定情報が特定するエリア部分に移動端末が位置している場合に、測定工程において測定された品質情報が移動端末から無線基地局に対して送信される。【０００９】
上記課題はまた、送信手段と受信手段とを備える無線基地局によって解決され得る。送信手段は、無線基地局のセル内の少なくとも一部のエリア部分を特定する特定情報を、移動端末に対して送信する。受信手段は、特定情報が特定するエリア部分に移動端末が位置している場合に移動端末によって測定及び送信される品質情報を受信する。【００１０】
上記課題はまた、受信手段と測定手段と送信手段とを備える移動端末によって解決され得る。受信手段は、無線基地局のセル内の少なくとも一部のエリア部分を特定する特定情報であって且つ無線基地局から送信される特定情報を受信する。測定手段は、特定情報が特定するエリア部分に移動端末が位置している場合に、移動端末と無線基地局との間の通信品質を示す品質情報を測定する。送信手段は、特定情報が特定するエリア部分に移動端末が位置している場合に、測定手段により測定された品質情報を無線基地局に対して送信する。【００１１】
上記課題はまた、第１送信手段を備える無線基地局と測定手段及び第２層新手段を備える移動端末とを備える無線通信システムによって解決され得る。第１送信は、無線基地局のセル内の少なくとも一部のエリア部分を特定する特定情報を、移動端末に対して送信する。測定手段は、特定情報が特定するエリア部分に移動端末が位置している場合に、移動端末と無線基地局との間の通信品質を示す品質情報を測定する。第２送信手段は、特定情報が特定するエリア部分に移動端末が位置している場合に、測定手段により測定された品質情報を無線基地局に対して送信する。
【発明の効果】
【００１２】
以上説明した通信品質の測定方法によれば、無線基地局から移動端末に対して、無線基地局のセル内の少なくとも一部のエリア部分を特定する特定情報が送信される。このため、当該特定情報が示すエリア部分に位置する移動端末に対して品質情報の測定及び送信を行なわせることができる。従って、無線基地局は、セル内に位置する移動端末の位置を認識することなく、セル内の所望のエリア部分の通信品質を好適に取得することができる。これにより、無線通信システムの処理負荷を相対的に低減することができる。【００１３】
また、以上説明した無線基地局及び移動端末、並びに無線通信システムによれば、上述した通信品質の測定方法が享受する効果と同様の効果を享受することができる。
【図面の簡単な説明】
【００１４】
【図１】本実施形態に係る無線通信システムの基本構成の一例を示すブロック図である。
【図２】無線通信システムが備えるｅＮＢの構成の一例を示すブロック図である。
【図３】無線通信システムが備えるＵＥの構成の一例を示すブロック図である。
【図４】本実施形態に係る無線通信システムの動作の流れの全体を簡略的に示すシーケンス図である。
【図５】初期設定動作において設定されるセルカバーエリア管理マップを示す模式図である。
【図６】ｅＮＢによる初期設定動作の流れの一部を示すフローチャートである。
【図７】ｅＮＢによる初期設定動作の流れの他の一部を示すフローチャート及び所定の性能指標の測定値と当該性能指標の目標値との間の差分に対応するｅＮＢからの距離を示すグラフである。
【図８】ｅＮＢによるＲＲＣメッセージ、報知情報又はページング情報の送信動作の流れを示すフローチャートである。
【図９】ＲＲＣメッセージ中の一部のメッセージ部分を示すデータ構造図である。
【図１０】報知情報中の一部のメッセージ部分を示すデータ構造図である。
【図１１】ページング情報中の一部のメッセージ部分を示すデータ構造図である。
【図１２】ＵＥによるＲＲＣメッセージ、報知情報又はページング情報の受信動作の流れを示すフローチャートである。
【図１３】アイドルモードのＵＥによる通信品質の測定及び送信動作の流れを示すフローチャートである。
【図１４】コネクトモードのＵＥによる通信品質の測定及び送信動作の流れを示すフローチャートである。
【発明を実施するための最良の形態】
【００１５】
以下、本発明を実施するための形態を、図面に基づいて説明する。【００１６】
（１）無線通信システムの全体構成
図１を参照して、本実施形態の無線通信システム１の全体構成の一例について説明する。ここに、図１は、本実施形態の無線通信システム１の全体構成の一例を示すブロック図である。【００１７】
図１に示すように、本実施形態に係る無線通信システム１は、ｅＮＢ（ｅｖｏｌｖｅｄ  ＮｏｄｅＢ）１００ａと、ｅＮＢ１００ｂと、ＵＥ（Ｕｓｅｒ  Ｅｑｕｉｐｍｅｎｔ）３００ａと、ＵＥ３００ｂと、ＵＥ３００ｃと、ＵＥ３００ｄと、ＵＥ３００ｅと、ＵＥ３００ｆと、ＵＥ３００ｇと、ＵＥ３００ｈとを備えている。尚、図１に示すｅＮＢ１００の数及びＵＥ３００の数は一例であって、ｅＮＢ１００の数及びＵＥ３００の数が図１に示す個数に限定されることはない。また、以下では、説明の便宜上、ｅＮＢ１００ａ及びｅＮＢ１００ｂを区別することなく説明する場合には、“ｅＮＢ１００”と称して説明を進める。同様に、ＵＥ３００ａからＵＥ３００ｈを区別することなく説明する場合には、“ＵＥ３００”と称して説明を進める。【００１８】
ｅＮＢ１００は、セル半径が概ね数ｋｍから十数ｋｍないしは数十ｋｍとなるセル１５０をカバーする無線基地局である。例えば、図１に示す例では、ｅＮＢ１００ａは、セル１５０ａをカバーする無線基地局であり、ｅＮＢ１００ｂは、セル１５０ｂをカバーする無線基地局である。ｅＮＢ１００は、自身がカバーするセル１５０中に位置するＵＥ３００との間で無線通信を行う。つまり、ｅＮＢ１００は、自身がカバーするセル１５０中に位置するＵＥ３００との間で通信コネクションを確立すると共に、ＵＥ３００に対してデータの送受信を行う。また、各ｅＮＢ１００がカバーするセル１５０は、その一部が他のセル１５０の一部又は全部と重なるように構成されていてもよいし、その全部が他のセル１５０と重ならないように構成されていてもよい。【００１９】
尚、上述の説明では、セル半径が概ね数ｋｍから十数ｋｍないしは数十ｋｍとなるセル（いわゆる、マクロセル）１５０をカバーするｅＮＢ１００が例示されている。しかしながら、ｅＮＢ１００に加えて又は代えて、セル半径が概ね数百ｍから１ｋｍとなるセル（いわゆる、マイクロセル）をカバーする無線基地局や、セル半径が概ね数ｍから十数ｍないしは数十ｍとなるセル（いわゆる、フェムトセル）をカバーする無線基地局を配置してもよい。また、セル半径が上述したサイズ以外のセルをカバーする各種無線基地局を配置してもよい。また、図１に示す例は、１つのｅＮＢ１００に１つのセル１５０が対応する例を示しているが、１つのｅＮＢ１００に複数のセル１５０（ないしは、セクタ）が対応するように構成してもよい。【００２０】
ＵＥ３００は、自身がその内部に位置するセル１５０に対応する無線基地局１００との間で通信路（コネクション）を確立すると共に、データの送受信を行う移動端末である。ＵＥ３００は、例えばｅＮＢ１００との間に通信路が確立されているか否かに応じて区別される。本実施形態では、ｅＮＢ１００との間で通信路を確立しているＵＥ３００を、コネクトモード（Connected Mode）のＵＥ３００と称して説明を進める。一方で、ｅＮＢ１００との間で通信路を確立していないＵＥ３００を、アイドルモード（Idle Mode）のＵＥ３００と称して説明を進める。ＵＥ３００の一例として、携帯電話や、無線通信機能を備える各種情報端末（例えば、ＰＤＡや、ミニパソコンや、ノートパソコンや、デスクトップパソコン等）等があげられる。ＵＥ３００は、ｅＮＢ１００（更には、ｅＮＢ１００の上位に接続される不図示のコア網（コアネットワーク）等）を介して、各種無線通信サービス（例えば、メールサービスや、音声通話サービスや、ＷＥＢ閲覧サービスや、パケット通信サービス等）を利用することができる。【００２１】
一方で、ＵＥ３００の周辺環境（言い換えれば、セル１５０内の環境）によっては、無線通信サービスを提供することができない不具合エリア１６０がセル１５０内に発生することがある。例えば、セル１５０内に存在するビル等の建築物によってｅＮＢ１００からの電波が遮られてしまうエリアが、不具合エリア１６０となりえる。このような不具合エリア１６０内にＵＥ３００が位置している場合には、ＵＥ３００は、無線通信サービスを利用することができない。【００２２】
本実施形態では、不具合エリア１６０をｅＮＢ１００が認識することができるように、セル１５０内の特定のエリア部分に位置するＵＥ３００によって通信品質の測定及び当該測定した通信品質のｅＮＢ１００への送信が行われる。これにより、ｅＮＢ１００は、特定のエリア部分が不具合エリア１６０となっているか否かを判定することができ、結果として不具合エリア１６０の位置を好適に認識することができる。従って、不具合エリア１６０の解消（或いは、サービス障害の解消）を図ることができる。以下、セル１５０内の特定のエリア部分に位置するＵＥ３００による通信品質の測定動作及び当該測定した通信品質のｅＮＢ１００への送信動作について詳細に説明を進める。【００２３】
尚、無線通信システム１として、例えばＬＴＥ（Long Term Evolution）ないしはＥ−ＵＴＲＡＮ（Evolved Universal Terrestrial Radio Access Network）に準拠した無線通信システムが一例としてあげられる。但し、無線通信システム１が、ＬＴＥないいしはＥ−ＵＴＲＡＮ以外の任意の規格に準拠していてもよい。【００２４】
（２）ブロック図
図２及び図３を参照して、無線通信システム１が備えるｅＮＢ１００及びＵＥ３００の夫々の構成の一例について説明を進める。【００２５】
（２−１）ｅＮＢのブロック図
図２を参照して、無線通信システム１が備えるｅＮＢ１００の構成の一例について説明を進める。ここに、図２は、無線通信システム１が備えるｅＮＢ１００の構成の一例を示すブロック図である。【００２６】
図２に示すように、ｅＮＢ１００は、無線ネットワークインタフェース部１１１と、有線ネットワークインタフェース部１１２と、通信データ処理部１２１と、不具合エリア特定部１３１と、場所識別情報算出部１３２と、位置情報通知制御管理部１３３と、ベアラサービス制御部１３４と、無線アクセス手順制御部１３５と、コア網サービス制御部１３６とを備えている。【００２７】
無線ネットワークインタフェース部１１１は、ＵＥ３００との間の通信（例えば、無線通信によるデータの送受信）を行う際に準拠するべきＬ１／Ｌ２プロトコルを終端すると共に、ＵＥ３００との間の通信を行う。【００２８】
有線ネットワークインタフェース部１１２は、不図示のコア網との間の通信（例えば、有線通信によるデータの送受信）を行う際に準拠するべきＬ１／Ｌ２プロトコルを終端すると共に、コア網との間の通信を行う。尚、コア網に属する装置として、例えば、モビリティ管理装置（ＭＭＥ：Ｍｏｂｉｌｅ  Ｍａｎａｇｅｍｅｎｔ  Ｅｎｔｉｔｙ）や、ＳＡＥゲートウェイ（ＳＡＥ−ＧＷ：Ｓｙｓｔｅｍ  Ａｒｃｈｉｔｅｃｔｕｒｅ  Ｅｖｏｌｕｔｉｏｎ  ＧａｔｅＷａｙ）等が一例としてあげられる。【００２９】
通信データ処理部１２１は、ベアラサービス制御部１３４により設定される通信路の設定情報（ベアラ制御情報）に基づいて、データの転送（或いは、ルーティング）を行うと共に、データの転送用プロトコルに関連する各種処理を行う。また、通信データ処理部１２１は、無線アクセス手順メッセージ等のシグナリング情報を認識すると共に、ｅＮＢ１００内の対応する処理部ないしは機能部との間で当該シグナリング情報の送受信を行う。【００３０】
不具合エリア特定部１３１は、ｅＮＢ１００がカバーするセル１５０を、後述するセルカバーエリア管理マップとして管理する。また、不具合エリア特定部１３１は、後に詳述するように、セルカバーエリア管理マップ上の番地（ＩＤ）を用いて不具合エリア１６０を管理する。【００３１】
場所識別情報算出部１３２は、所定の計算ルールに基づいて、緯度及び経度等の地理的位置情報から、セルカバーエリア管理マップ上の番地（ＩＤ）に対応する場所識別情報を算出する。尚、場所識別情報は、地理的位置情報に対して所定の計算ルールに基づく演算処理ないしは変換処理を行うことで得られる情報であることが好ましい。場所識別情報の一例として、地理的位置情報に対して所定のハッシュ計算キーに基づくハッシュ演算を行うことで得られるハッシュ値がある。これにより、セルカバーエリア管理マップ上の番地（ＩＤ）と場所識別情報（例えば、ハッシュ値）との対応付けが行われる。また、場所識別情報は、地理的位置情報よりも情報量が少ないことが好ましい。このため、場所識別情報は、地理的位置情報を示すビットデータのうちの一部の上位ビット及び一部の下位ビットを削除した後に、上述したハッシュ演算を行うことで得られることが好ましい。言い換えれば、場所識別情報は、地理的位置情報を示すビットデータのうちの有効なビットデータのみに対して上述したハッシュ演算を行うことで得られることが好ましい。以下の説明では、場所識別情報の一例としてハッシュ値を用いる構成について説明を進める。【００３２】
位置情報通知制御管理部１３３は、場所識別情報算出部１３２が場所識別情報（例えば、ハッシュ値）を算出する際に使用する計算ルール（例えば、ハッシュ計算キーやビットデータ有効範囲）を示す算出方法情報を、ＵＥ３００に対して通知する。また、位置情報通知制御管理部１３３は、通信品質の測定及び送信（いわゆる、Ｍｅａｓｕｒｅｍｅｎｔ  Ｒｅｐｏｒｔ）をＵＥ３００に対して行わせることを望むエリア部分を示す通知位置情報（例えば、後述の情報要求位置リスト）を、ＵＥ３００に対して通知する。【００３３】
ベアラサービス制御部１３４は、通信路の設定処理や解放処理を行うことで、通信データ処理部１２１における動作を規定するベアラ制御情報を管理する。また、ベアラサービス制御部１３４は、通信路の状態管理（例えば、リンク障害の有無等）を行う。【００３４】
無線アクセス手順制御部１３５は、ＵＥ３００との間のシグナリング情報の送受信を終端する。シグナリング情報としては、ＲＡＣＨを用いて送受信されるＲＡＣＨメッセージ（ランダムアクセス手順メッセージ）が一例としてあげられる。【００３５】
コア網サービス制御部１３６は、コア網との間のシグナリング情報の送受信を終端すると共に、ＵＥ３００とｅＮＢ１００との間の通信路（無線区間）以外の通信路の設定処理や解放処理を行う。【００３６】
（２−２）ＵＥのブロック図
図３を参照して、無線通信システム１が備えるＵＥ３００の構成の一例について説明を進める。ここに、図３は、無線通信システム１が備えるＵＥ３００の構成の一例を示すブロック図である。【００３７】
図３に示すように、ＵＥ３００は、無線ネットワークインタフェース部３１１と、ＧＰＳ（Global Positioning System）位置検出部３１２と、通信アプリケーション部３１３と、通信データ処理部３２１と、不具合エリア地理的位置情報記録部３３１と、場所識別情報算出部３３２と、位置情報通知制御管理部３３３と、ベアラサービス制御部３３４と、無線アクセス手順制御部３３５とを備えている。【００３８】
無線ネットワークインタフェース部３１１は、ｅＮＢ１００との間の通信（例えば、無線通信によるデータの送受信）を行う際に準拠するべきＬ１／Ｌ２プロトコルを終端すると共に、ｅＮＢ１００との間の通信を行う。【００３９】
ＧＰＳ位置検出部３１２は、ＧＰＳ衛星から送信されているＧＰＳ電波を受信することで、ＵＥ３００の位置を緯度及び経度により示す地理的位置情報を取得する。【００４０】
通信アプリケーション部３１３は、ＵＥ３００のユーザが使用するアプリケーション（例えば、音声通話アプリケーションやパケット通信アプリケーションやメールアプリケーションやＷＥＢ閲覧アプリケーション等）を動作させる。また、通信アプリケーション３１３は、通信相手となる他のＵＥ３００との間のデータの送受信における送信元及び受信先として指定される。【００４１】
通信データ処理部３２１は、ベアラサービス制御部３３４により設定される通信路の設定情報（ベアラ制御情報）に基づいて、データの転送（或いは、ルーティング）を行うと共に、データの転送用プロトコルに関連する各種処理を行う。また、通信データ処理部３２１は、無線アクセス手順メッセージ等のシグナリング情報を認識すると共に、ＵＥ３００内の対応する処理部ないしは機能部との間で当該シグナリング情報の送受信を行う。【００４２】
不具合エリア地理的位置情報記録部３３１は、任意のタイミング（例えば、通知位置情報（例えば、後述する情報要求位置リスト等）が示すエリア部分にＵＥ３００が位置するタイミング）で、ＧＰＳ位置検出部３１２から地理的位置情報を取得する。つまり、不具合エリア地理的位置情報記録部３３１は、任意のタイミングで、ＵＥ３００の現在位置を示す地理的位置情報を取得及び記録する。【００４３】
場所識別情報算出部３３２は、ｅＮＢ１００が備える位置情報通知制御管理部１３３から送信される算出方法情報が示す計算ルール（例えば、ハッシュ計算キーやビットデータ有効範囲）に基づいて、不具合エリア地理的位置情報記録部３３１が記録する地理的位置情報から、セルカバーエリア管理マップ上の番地（ＩＤ）に対応する場所識別情報（例えば、ハッシュ値）を算出する。【００４４】
位置情報通知制御管理部３３３は、ｅＮＢ１００が備える位置情報通知制御管理部１３３から送信される算出方法情報を管理する。また、位置情報通知制御管理部３３３は、ｅＮＢ１００が備える位置情報通知制御管理部１３３から送信される通知位置情報（例えば、後述する情報要求位置リスト等）を管理する。【００４５】
ベアラサービス制御部３３４は、通信路の設定処理や解放処理を行うことで、通信データ処理部３２１における動作を規定するベアラ制御情報を管理する。また、ベアラサービス制御部３３４は、通信路の状態管理（例えば、リンク障害の有無等）を行う。また、ベアラサービス制御部３３４は、上述したｅＮＢ１００とＵＥ３００との間の通信品質の測定及び送信（いわゆる、Ｍｅａｓｕｒｅｍｅｎｔ  Ｒｅｐｏｒｔ）を制御及び管理する。【００４６】
無線アクセス手順制御部３３５は、ｅＮＢ１００との間のシグナリング情報の送受信を終端する。シグナリング情報としては、ＲＡＣＨを用いて送受信されるＲＡＣＨメッセージ（ランダムアクセス手順メッセージ）が一例としてあげられる。【００４７】
（３）動作説明
図４から図１４を参照して、本実施形態に係る無線通信システム１の動作の流れの一例について説明する。【００４８】
（３−１）全体動作
まず、図４を参照して、本実施形態に係る無線通信システム１の動作の流れの全体を簡略的に説明する。ここに、図４は、本実施形態に係る無線通信システム１の動作の流れの全体を簡略的に示すシーケンス図である。【００４９】
図４に示すように、はじめに、ｅＮＢ１００は、初期設定動作を行う。初期設定動作としては、例えば、ｅＮＢ１００がカバーするセル１５０を管理するためのセルカバーエリア管理マップの生成動作や、地理的位置情報（例えば、緯度及び経度）を場所識別情報（例えば、ハッシュ値）に変換するための計算ルール（例えば、ハッシュ計算キーやビットデータ有効範囲）を示す算出方法情報の生成動作等が一例としてあげられる。【００５０】
加えて、ｅＮＢ１００は、初期設定動作の一部として、通知位置情報（例えば、後述する情報要求位置リスト等）を生成する。つまり、ｅＮＢ１００は、通信品質の測定及び送信（いわゆる、Ｍｅａｓｕｒｅｍｅｎｔ  Ｒｅｐｏｒｔ）をＵＥ３００に対して行わせることを望むエリア部分を決定する。尚、通知位置情報は、無線品質の測定及び送信をＵＥ３００に対して行わせることを望むエリア部分に対応するハッシュ値が含まれていてもよいし、当該エリア部分の地理的位置情報が含まれていてもよいし、当該エリア部分を一意に特定することができる任意の情報が含まれていてもよい。また、通知位置情報が示すエリア部分としては、不具合エリア１６０となっていることが想定される又は近い将来不具合エリア１６０となり得ることが想定されるエリア部分であることが好ましく、例えば、無線リンク断の発生数が増加しているエリア部分や通信負荷が著しい変動（例えば、著しい低下）が検出されるエリア部分が一例としてあげられる。【００５１】
続いて、ｅＮＢ１００は、初期設定動作により設定された算出方法情報（例えば、ハッシュ計算キーやビットデータ有効範囲）及び通知位置情報（例えば、情報要求位置リスト）を、ＵＥ３００に対して送信する。このとき、ｅＮＢ１００は、ＲＲＣ（Radio Resource Configuration）メッセージを用いて、算出方法情報及び通知位置情報をＵＥ３００に対して送信してもよい。特に、ｅＮＢ１００は、ＲＲＣメッセージのうちＵＥ３００による通信品質の測定及び送信動作（つまり、Ｍｅａｓｕｒｅｍｅｎｔ  Ｒｅｐｏｒｔ）を制御するためメッセージを用いて、算出方法情報及び通知位置情報をＵＥ３００に対して送信してもよい。或いは、ｅＮＢ１００は、自身がカバーするセル１５０内に位置する全てのＵＥ３００を送信先に指定して送信される報知情報を用いて、算出方法情報及び通知位置情報をＵＥ３００に対して送信してもよい。尚、ここでいう「報知情報」とは、セル１５０内に位置する全てのＵＥ３００に通知される情報を示す広い趣旨であり、例えばＢＣＨ（Ｂｒｏａｄｃａｓｔ  Ｃｈａｎｎｅｌ）を用いて送信される情報が一例としてあげられる。或いは、ｅＮＢ１００は、自身がカバーするセル１５０内に位置する全てのＵＥ３００に送信されると共に当該全てのＵＥ３００のうちの特定のＵＥ３００の呼び出しを行うためのページング情報（呼出情報）を用いて、算出方法情報及び通知位置情報をＵＥ３００に対して送信してもよい。尚、ここでいう「ページング情報」とは、セル１５０内に位置するＵＥ３００の呼出を行うための情報を示す広い趣旨であり、例えばＰＣＨ（Ｐａｇｉｎｇ  Ｃｈａｎｎｅｌ）を用いて送信される情報が一例としてあげられる。【００５２】
続いて、ＵＥ３００は、ＧＰＳ位置検出部３１２により検出されるＵＥ３００の地理的位置情報（つまり、ＵＥ３００の現在位置を示す地理的位置情報）を取得する。その後、ＵＥ３００は、ＲＲＣメッセージや報知情報やページング情報を用いてｅＮＢ１００から送信されてきた算出方法情報に基づいて、取得した地理的位置情報から場所識別情報（例えば、ハッシュ値）を算出する。続いて、ＵＥ３００は、算出したハッシュ値が示す位置とＲＲＣメッセージや報知情報やページング情報を用いてｅＮＢ１００から送信されてきた通知位置情報が示すエリア部分（例えば、エリア部分を特定するハッシュ値）とが一致するか否かを判定する。判定の結果、算出したハッシュ値が示す位置とＲＲＣメッセージや報知情報やページング情報を用いてｅＮＢ１００から送信されてきた通知位置情報が示すエリア部分とが一致する場合に、当該エリア部分において通信品質の測定及び送信を行う。【００５３】
或いは、ＵＥ３００は、ハッシュ値を用いることなく上述した動作を行ってもよい。具体的には、ＵＥ３００は、ＧＰＳ位置検出部３１２により検出されるＵＥ３００の地理的位置情報（つまり、ＵＥ３００の現在位置を示す地理的位置情報）を取得する。その後、ＵＥ３００は、取得した地理的位置情報が示す位置とＲＲＣメッセージや報知情報やページング情報を用いてｅＮＢ１００から送信されてきた通知位置情報が示すエリア部分とが一致する場合に、当該エリア部分において通信品質の測定及び送信を行う。【００５４】
これにより、ｅＮＢ１００は、セル１５０内の所望のエリア部分における実際の通信品質を検出することができる。言い換えれば、ｅＮＢ１００は、不具合エリア１６０となっていることが予想される又は想定されるセル１５０内のエリア部分における実際の通信品質を検出することができる。その結果、当該検出された通信品質に基づいて、不具合エリア１６０が発生しているか否かを好適に認識することができる。【００５５】
以上説明した動作の流れについて、各動作を細分化しながら詳細に説明を進める。具体的には、(i)図５から図７を用いて、ｅＮＢ１００による初期設定動作を説明し、(ii)図８から図１１を用いて、ｅＮＢ１００によるＵＥ３００へのＲＲＣメッセージや報知情報やページング情報の送信動作を説明し、(iii)図１２を用いて、ＵＥ３００によるｅＮＢ１００からのＲＲＣメッセージや報知情報やページング情報の受信動作を説明し、(iv)図１３及び図１４を用いて、ＵＥ３００による通信品質の測定及び送信動作を説明する
（３−２）初期設定動作
図５から図７を参照して、ｅＮＢ１００による初期設定動作について説明する。ここに、り、図５は、初期設定動作において設定されるセルカバーエリア管理マップを示す模式図であり、図６は、ｅＮＢ１００による初期設定動作の流れの一部を示すフローチャートであり、図７は、ｅＮＢ１００による初期設定動作の流れの他の一部を示すフローチャート及び所定の性能指標の測定値と当該性能指標の目標値との間の差分に対応するｅＮＢ１００からの距離を示すグラフである。【００５６】
図５に示すように、初期設定動作により設定されるセルカバーエリア管理マップは、経度方向ｉ（但し、ｉは１以上の整数）行×緯度方向ｊ（但し、ｊは１以上の整数）列のマトリクス状に配列された複数のグリッドに分割されたマップであって、セル１５０を内部に包含するサイズを有している。また、各グリッドにはグリッドＩＤが付与されており、当該グリッドＩＤとハッシュ値（言い換えれば、場所識別情報）とは一致する。従って、セル１５０内の特定のエリア部分は、地理的位置情報から算出されるハッシュ値（つまり、１つのグリッドＩＤ）によって一意に識別することができる。【００５７】
図５に示すセルカバーエリア管理マップは、図６に示す初期設定動作により設定される。図６に示すように、不具合エリア特定部１３１は、セルカバーエリア管理マップの設定を実施するか否かを判定する（ステップＳ０６１）。尚、セルカバーエリア管理マップの設定を実施するか否かは、ｅＮＢ１００のオペレータによって予め設定されていてもよい。【００５８】
ステップＳ０６１の判定の結果、セルカバーエリア管理マップの設定を実施しないと判定された場合には（ステップＳ０６１：Ｎｏ）、ｅＮＢ１００は動作を終了する。この場合、ｅＮＢ１００は、通常行うべき処理（つまり、ｅＮＢ１００が行う既存の処理）を行ってもよい。【００５９】
他方で、ステップＳ０６１の判定の結果、セルカバーエリア管理マップの設定を実施すると判定された場合には（ステップＳ０６１：Ｙｅｓ）、不具合エリア特定部１３１は、ハッシュ計算キーを設定する（ステップＳ０６２）。また、不具合エリア特定部１３１は、ｅＮＢ１００の緯度及び経度を指定すると共に、緯度及び経度の夫々のビットデータ有効範囲を指定する（ステップＳ０６２）。例えば、不具合エリア特定部１３１は、緯度及び経度の夫々のビットデータのうち、セル１５０全体に共通する一部の上位ビットデータ及びセルカバーエリア管理マップの管理粒度よりも細かいエリア部分を示す一部の下位ビットデータを除くビットデータ部分を、緯度及び経度の夫々のビットデータ有効範囲として指定する。より具体的には、例えば、セル１５０の緯度が「北緯４０度２０分ｘｘ（但し、ｘｘは変数）秒」という値で示される場合には、緯度を示すビットデータのうち「北緯４０度２０分」という共通の値に対応する一部の上位ビットデータを除くビットデータ部分が、緯度のビットデータ有効範囲として指定される。また、例えば、セルカバーエリア管理マップが備える１つのグリッドの緯度方向の大きさが「１００ｍ」という距離に対応付けられている場合には、緯度を示すビットデータのうち「１００ｍ」以下の精度で緯度を示す一部の下位ビットデータを除くビットデータ部分が、緯度のビットデータ有効範囲として指定される。尚、経度についても同様である。【００６０】
続いて、ｅＮＢ１００は、図７（ａ）に示す動作に従って、通知位置情報（例えば、情報要求位置リスト等）を生成する。具体的には、図７（ａ）に示すように、ｅＮＢ１００が備える位置情報通知制御管理部１３３は、ＵＥ３００から定期的に又は非定期的に通知される所定の性能指標の測定値と当該所定の性能指標の目標値との差分が所定閾値以上であるか否かを判定する（ステップＳ０７１）。所定の性能指標の一例として、例えばセル１５０におけるＵＥ３００の平均受信信号強度や、平均信号対干渉雑音比や、平均データスループット等があげられる。また、目標値は、無線伝搬特性等のセル１５０の設置環境を考慮した上で、適切な無線通信サービスの提供を行うことができるように実験的に、理論的に、数学的に又は統計的に算出される性能指標の目標値である。【００６１】
ステップＳ０７１における判定の結果、性能指標の測定値と当該性能指標の目標値との差分が所定閾値以上でないと判定された場合には（ステップＳ０７１：Ｎｏ）、ｅＮＢ１００は、動作を終了してもよいし、ステップＳ０７１以降の動作を繰り返してもよい。【００６２】
他方で、ステップＳ０７１における判定の結果、性能指標の測定値と当該性能指標の目標値との差分が所定閾値以上であると判定された場合には（ステップＳ０７１：Ｙｅｓ）、位置情報通知制御管理部１３３は、性能指標の測定値と当該性能指標の目標値との間の差分に対するｅＮＢ１００からの距離の関係を示す相関情報に基づいて、性能指標の測定値と当該性能指標の目標値との間の差分に対するｅＮＢ１００からの距離を算出する（ステップＳ０７２）。【００６３】
相関情報は、例えば図７（ｂ）に示すグラフ（或いは、数式ないしは関数）として予め用意されている（例えば、ｅＮＢ１００が備える不図示のメモリ等に予め格納されている）ことが好ましい。ここで、ｅＮＢ１００とＵＥ３００との間の距離が短いほど、良好な受信信号強度や良好な信号対干渉雑音比や良好なデータスループットが得られることが知られている。従って、性能指標の測定値と当該性能指標の目標値との間の差分が大きければ大きいほど、ｅＮＢ１００により近い位置で通信障害（或いは、無線通信サービスの提供の不具合）が生じている可能性が高いことが想定される。このため、本実施形態では、相関情報として、性能指標の測定値と当該性能指標の目標値との間の差分が大きければ大きいほどｅＮＢ１００からの距離が小さくなる相関情報が用いられている。もちろん、図７（ｂ）に示す相関情報は一例であり、図７（ｂ）に示す相関情報と異なる相関情報が用いられてもよい。【００６４】
その後、位置情報通知制御管理部１３３は、ステップＳ０７２において算出された距離に対応するセル１５０内のエリア部分（例えば、グリッド）及び当該距離よりも離れた位置に対応するセル１５０内のエリア部分を抽出する（ステップＳ０７３）。また、位置情報通知制御管理部１３３は、抽出したエリア部分を特定するハッシュ値（つまり、グリッドＩＤ）を距離順に並べたリストを、情報要求位置リストとして生成する（ステップＳ０７３）。【００６５】
（３−３）ｅＮＢからＵＥへのＲＲＣメッセージや報知情報やページング情報の送信動作
図８から図１１を参照して、ｅＮＢ１００からＵＥ３００へのＲＲＣメッセージや報知情報やページング情報の送信動作について説明する。ここに、図８は、ｅＮＢ１００によるＲＲＣメッセージ、報知情報又はページング情報の送信動作の流れを示すフローチャートであり、図９は、ＲＲＣメッセージ中の一部のメッセージ部分を示すデータ構造図であり、図１０は、報知情報中の一部のメッセージ部分を示すデータ構造図であり、図１１は、ページング情報中の一部のメッセージ部分を示すデータ構造図である。【００６６】
図８に示すように、ｅＮＢ１００が備える位置情報通知制御管理部１３３は、現在のタイミングが通信品質の定期収集を行うべきタイミングであるか否かを判定する（ステップＳ０８１）。尚、「定期収集を行うべきタイミング」とは、ＵＥ３００による無線品質の測定及び送信（つまり、Ｍｅａｓｕｒｅｍｅｎｔ  Ｒｅｐｏｒｔ）を定期的に行うように設定されている場合の「無線品質の測定及び送信を行う定期的なタイミング」を示す趣旨である。加えて、位置情報通知制御管理部１３３は、測定される性能指標の傾向の変化が検出されているか否かを判定する（ステップＳ０８１）。【００６７】
ステップＳ０８１における判定の結果、現在のタイミングが通信品質の定期収集を行うべきタイミングでなく且つ測定される性能指標の傾向の変化が検出されていないと判定された場合には（ステップＳ０８１：Ｎｏ）、ｅＮＢ１００は、動作を終了してもよいし、ステップＳ０８１以降の動作を繰り返してもよい。【００６８】
他方で、ステップＳ０８１における判定の結果、現在のタイミングが通信品質の定期収集を行うべきタイミングであるか又は測定される性能指標の傾向の変化が検出されていると判定された場合には（ステップＳ０８１：Ｙｅｓ）、位置情報通知制御管理部１３３は、ＵＥ３００に対して送信するＲＲＣメッセージ、報知情報又はページング情報中に、ハッシュ計算キー、ビットデータ有効範囲及び情報要求位置リストを含む不具合エリア位置通知制御ＩＥを付加する（ステップＳ０８２）。【００６９】
尚、不具合エリア位置通知制御ＩＥがＲＲＣメッセージ、報知情報又はページング情報中に付加される限りは、付加される具体的な位置については任意に設定してもよい。例えば、不具合エリア位置通知制御ＩＥがＲＲＣメッセージに付加される場合には、図９に示すように、ＲＲＣメッセージ中の拡張用フィールドの一つである「ｃｒｉｔｉｃａｌＥｘｔｅｎｓｉｏｎｓ」フィールドに不具合エリア位置通知制御ＩＥを付加してもよいし、その他のフィールドに不具合エリア位置通知制御ＩＥを付加してもよい。また、例えば、不具合エリア位置通知制御ＩＥが報知情報に付加される場合には、図１０に示すように、報知情報中のＳｙｓｔｅｍＩｎｆｏｒｍａｔｉｏｎフィールドに用意されている拡張用フィールドの一つである「ｎｏｎＣｒｉｔｉｃａｌＥｘｔｅｎｓｉｏｎ  ＳＥＱＵＥＮＣＥ」フィールドに不具合エリア位置通知制御ＩＥを付加してもよいし、その他のフィールドに不具合エリア位置通知制御ＩＥを付加してもよい。また、例えば、不具合エリア位置通知制御ＩＥがページング情報に付加される場合には、図１１に示すように、ページング情報中のｐａｇｉｎｇＲｅｃｏｒｄＬｉｓｔｇフィールドに用意されている「ＰａｇｉｎｇＲｅｃｏｒｄ  ＳＥＱＵＥＮＣＥ」フィールドに不具合エリア位置通知制御ＩＥを付加してもよいし、その他のフィールドに不具合エリア位置通知制御ＩＥを付加してもよい。【００７０】
尚、図１０及び図１１に示すように、不具合エリア位置通知制御ＩＥが報知情報又はページング情報に付加される場合には、情報要求位置リストのみを報知情報又はページング情報に付加すると共に、ハッシュ計算キー及びビットデータ有効範囲についてはＲＲＣメッセージに付加するように構成してもよい。この構成は、報知情報又はページング情報がセル１５０内の全てのＵＥ３００に対して送信されることを考慮して、ハッシュ計算キーの秘匿性を確保することが好ましいという点を重視していることに起因している。或いは、ハッシュ計算キー、ビットデータ有効範囲及び情報要求位置リストの全てを報知情報又はページング情報に付加してもよい。【００７１】
その後、位置情報通知制御管理部１３３は、ステップＳ０８２において不具合エリア位置通知制御ＩＥが付加されたＲＲＣメッセージ、報知情報又はページング情報を、通信データ処理部１２１及び無線ネットワークインタフェース部１１１を介してＵＥ３００に対して送信する（ステップＳ０８３）。【００７２】
（３−４）ＵＥ３００によるＲＲＣメッセージや報知情報やページング情報の受信動作
図１２を参照して、ＵＥ３００によるＲＲＣメッセージや報知情報やページング情報の受信動作について説明する。ここに、図１２は、ＵＥ３００によるＲＲＣメッセージ、報知情報又はページング情報の受信動作の流れを示すフローチャートである。【００７３】
図１２に示すように、ＵＥ３００が備える位置情報通知制御部３３３は、通信データ処理部３２１及び無線ネットワークインタフェース部３１１を介して、不具合エリア位置通知制御ＩＥが付加されたＲＲＣメッセージ、報知情報又はページング情報を受信する（ステップＳ１２１）。尚、コネクトモードのＵＥ３００は、ＲＲＣメッセージ、報知情報及びページング情報を受信することができる。一方で、アイドルモードのＵＥ３００は、報知情報及びページング情報を受信することができる。【００７４】
その後、位置情報通知制御部３３３は、ＲＲＣメッセージ、報知情報又はページング情報中に含まれる不具合エリア位置通知制御ＩＥを抽出すると共に、当該不具合エリア位置通知制御ＩＥが示すハッシュ計算キー、ビットデータ有効範囲及び情報要求位置リストを不図示のメモリ等に記憶させる（ステップＳ１２２）。その後、ＵＥ３００は、ＵＥ３００自身の状態を不具合エリア検出・報告状態に遷移させることで、以下に説明する通信品質を測定及び送信する。【００７５】
（３−５）ＵＥによる通信品質の測定及び送信動作
図１３及び図１４を参照して、ＵＥ３００による無線品質の測定及び送信動作について説明する。ここに、図１３は、アイドルモードのＵＥ３００による通信品質の測定及び送信動作の流れを示すフローチャートであり、図１４は、コネクトモードのＵＥ３００による通信品質の測定及び送信動作の流れを示すフローチャートである。【００７６】
アイドルモードのＵＥ３００は、図１３に示すフローに従って、通信品質の測定及び送信動作を行う。具体的には、図１３に示すように、不具合エリア地理的位置情報記録部３３１は、ＵＥ３００自身の状態が不具合エリア検出・報告状態であるか否かを判定する（ステップＳ１３１）。【００７７】
ステップＳ１３１における判定の結果、ＵＥ３００自身の状態が不具合エリア検出・報告状態でないと判定された場合には（ステップＳ１３１：Ｎｏ）、ＵＥ３００は、動作を終了してもよいし、ステップＳ１３１以降の動作を繰り返してもよい。【００７８】
他方で、ステップＳ１３１における判定の結果、ＵＥ３００自身の状態が不具合エリア検出・報告状態であると判定された場合には（ステップＳ１３１：Ｙｅｓ）、不具合エリア地理的位置情報記録部３３１は、ＧＰＳ位置検出部３１２から地理的位置情報を取得する（ステップＳ１３２）。その後、不具合エリア地理的位置情報記録部３３１は、取得した地理的位置情報を、場所識別情報算出部３３２に対して転送する。【００７９】
続いて、場所識別情報算出部３３２は、ｅＮＢ１００から送信されたＲＲＣメッセージ、報知情報又はページング情報中の不具合エリア位置通知制御ＩＥに含まれるビットデータ有効範囲に基づいて、地理的位置情報を示すビットデータのうちの一部の有効なビットデータを抽出する（ステップＳ１３３）。【００８０】
その後、場所識別情報算出部３３２は、ｅＮＢ１００から送信されたＲＲＣメッセージ、報知情報又はページング情報中の不具合エリア位置通知制御ＩＥに含まれるハッシュ計算キーを用いて、ステップＳ１３３において抽出された一部の有効なビットデータに対してハッシュ演算を行う（ステップＳ１３４）。これにより、場所識別情報算出部３３２は、ＵＥ３００の現在位置を示すハッシュ値（つまり、グリッドＩＤ）を算出することができる。【００８１】
その後、場所識別情報算出部３３２は、ｅＮＢ１００から送信されたＲＲＣメッセージ、報知情報又はページング情報中の不具合エリア位置通知制御ＩＥに含まれる情報要求位置リストが示すハッシュ値（グリッドＩＤ）が、ステップＳ１３４において算出されたハッシュ値（グリッドＩＤ）と一致するか否かを判定する（ステップＳ１３５）。【００８２】
ステップＳ１３５における判定の結果、情報要求位置リストが示すハッシュ値（グリッドＩＤ）が、算出されたハッシュ値（グリッドＩＤ）と一致しないと判定された場合には（ステップＳ１３５：Ｎｏ）、ＵＥ３００の現在位置は、通信品質の測定及び送信（いわゆる、Ｍｅａｓｕｒｅｍｅｎｔ  Ｒｅｐｏｒｔ）の実行をｅＮＢ１００が望んでいるエリア部分ではないと判定される。従って、ＵＥ３００は、動作を終了してもよいし、ステップＳ１３１以降の動作を繰り返してもよい。【００８３】
他方で、ステップＳ１３５における判定の結果、情報要求位置リストが示すハッシュ値（グリッドＩＤ）が、算出されたハッシュ値（グリッドＩＤ）と一致すると判定された場合には（ステップＳ１３５：Ｙｅｓ）、ＵＥ３００の現在位置は、通信品質の測定及び送信（いわゆる、Ｍｅａｓｕｒｅｍｅｎｔ  Ｒｅｐｏｒｔ）の実行をｅＮＢ１００が望んでいるエリア部分であると判定される。従って、ベアラサービス制御部３３４は、ＵＥ３００の状態を一旦コネクトモードに遷移させた後（ステップＳ１３６）、通信品質の測定及び送信（いわゆる、Ｍｅａｓｕｒｅｍｅｎｔ  Ｒｅｐｏｒｔ）を行う（ステップＳ１３７）。また、ベアラサービス制御部３３４は、無線品質の測定及び送信（いわゆる、Ｍｅａｓｕｒｅｍｅｎｔ  Ｒｅｐｏｒｔ）が終了した後、ＵＥ３００の状態を再度アイドルモードに遷移させる（ステップＳ１３８）。【００８４】
一方で、コネクトモードのＵＥ３００は、図１４に示すフローに従って、通信品質の測定及び送信動作を行う。具体的には、図１４に示すように、コネクトモードのＵＥ３００は、アイドルモードのＵＥ３００と比較して、ＵＥ３００の状態をコネクトモード及びアイドルモードに遷移させる動作（図１３のステップＳ１３６及びステップＳ１３８）を行うことなく、通信品質の測定及び送信（いわゆる、Ｍｅａｓｕｒｅｍｅｎｔ  Ｒｅｐｏｒｔ）を行う（ステップＳ１３７）。【００８５】
以上説明したように、本実施形態の無線通信システム１によれば、ｅＮＢ１００からＵＥ３００に対して情報要求位置リストが送信される。その後、情報要求位置リストを受信したＵＥ３００は、情報要求位置リストが示すエリア部分に進入した場合に選択的に当該エリア部分の通信品質の測定及び送信を行う。このため、ｅＮＢ１００は、自身がカバーするセル１５０内に位置する全てのＵＥ３００の地理的位置を認識することなく、自身がカバーするセル１５０内の一部のエリア部分における通信品質の測定結果を取得することができる。従って、セル１５０内に位置する全てのＵＥ３００の地理的位置をｅＮＢ１００が認識すると共に所望の位置に存在する特定のＵＥ３００に対して選択的に通信品質の測定及び送信を行わせる指示をｅＮＢ１００が出す無線通信システムと比較して、全てのＵＥ３００の地理的位置を認識する必要がない分だけ無線通信システム１の処理負荷を相対的に低減することができる。【００８６】
また、本実施形態の無線通信システム１によれば、ｅＮＢ１００は、ＲＲＣメッセージ（特に、無線品質の測定及び送信動作（つまり、Ｍｅａｓｕｒｅｍｅｎｔ  Ｒｅｐｏｒｔ）を制御するためメッセージ）を用いて、情報要求位置リストをＵＥ３００に送信することができる。従って、コネクトモードのＵＥ３００は、好適に情報要求位置リストを取得することができる。【００８７】
また、本実施形態の無線通信システム１によれば、ｅＮＢ１００は、報知情報を用いて、情報要求位置リストをＵＥ３００に送信することができる。従って、コネクトモードのＵＥ３００及びアイドルモードのＵＥ３００の双方共に、好適に情報要求位置リストを取得することができる。【００８８】
また、本実施形態の無線通信システム１によれば、ｅＮＢ１００は、ページング情報を用いて、情報要求位置リストをＵＥ３００に送信することができる。従って、コネクトモードのＵＥ３００及びアイドルモードのＵＥ３００の双方共に、好適に情報要求位置リストを取得することができる。【００８９】
加えて、報知情報又はページング情報を用いて情報要求位置リストがＵＥ３００に対して送信される場合には、ｅＮＢ１００は、コネクトモードのＵＥ３００による通信品質の測定結果のみならず、アイドルモードのＵＥ３００による通信品質の測定結果をも取得することができる。従って、不具合エリア１６０が発生しているか否かを判定する元となる通信品質の測定結果の標本数を増加させることができる。従って、ｅＮＢ１００は、より高精度に、不具合エリア１６０が発生しているか否かを判定したり、不具合エリア１６０の位置を認識したりすることができる。【００９０】
また、本実施形態の無線通信システム１によれば、ｅＮＢ１００は、性能指標の測定値と当該性能指標の目標値との差分に応じて、セル１５０内の一部のエリア部分を決定することができる。従って、ｅＮＢ１００は、通信品質の測定及び送信を行うべきエリア部分を好適に絞りこむことができる。【００９１】
また、本実施形態の無線通信システム１によれば、通知位置情報（例えば、情報要求位置リスト）中に、緯度及び経度等の地理的位置情報に代えて、地理的位置情報から算出されるハッシュ値を含めることができる。このため、通知位置情報のデータ量を削減することができる。尚、通知位置情報中に緯度及び経度等の地理的位置情報がそのまま含まれる場合であっても、上述した各種効果を享受することができることは言うまでもない。【００９２】
また、本実施形態の無線通信システム１によれば、ハッシュ値を算出する際に使用されるハッシュ計算キーがｅＮＢ１００からＵＥ３００に対して事前に通知される。このため、ＵＥ３００は、検出される地理的位置情報からハッシュ値を好適に算出することができる。【００９３】
更には、ＵＥ３００が認証された後のセキュアな手順（例えば、ＲＲＣメッセージ）を用いて、ｅＮＢ１００からＵＥ３００に対してハッシュ計算キーを事前に通知することができる。このため、悪意のあるＵＥ３００がハッシュ計算キーを取得することができない。従って、悪意のあるＵＥ３００によって送信される不当なハッシュ値が正当なハッシュ値であるとｅＮＢ１００が扱ってしまう事態の発生を抑制することができる。このような効果を考慮すれば、ハッシュ計算キーは、報知情報又はページング情報を用いることに代えて、ＲＲＣメッセージを用いて送信されることが好ましい。【００９４】
また、本実施形態の無線通信システム１によれば、地理的位置情報を示すビットデータのうちの一部の有効なビットデータからハッシュ値を算出することができる。従って、全てのビットデータからハッシュ値を算出する態様と比較して、ハッシュ値のデータ量を削減することができる。【００９５】
また、本実施形態の無線通信システム１によれば、一部の有効なビットデータを特定するための情報がｅＮＢ１００からＵＥ３００に対して事前に通知される。このため、ＵＥ３００は、検出される地理的位置情報を示すビットデータのうちの一部の有効なビットデータを好適に抽出すると共に、当該抽出した一部のビットデータからハッシュ値を好適に算出することができる。
【符号の説明】
【００９６】
１  無線通信システム
１００  ｅＮＢ
１１１  無線ネットワークインタフェース部
１２１  通信データ処理部
１３１  不具合エリア特定部
１３２  場所識別情報算出部
１３３  位置情報通知制御管理部
１３４  ベアラサービス制御部
１３５  無線アクセス手順制御部
３００  ＵＥ
３１１  無線ネットワークインタフェース部
３１２  ＧＰＳ位置検出部
３２１  通信データ処理部
３３１  不具合エリア地理的位置情報記録部
３３２  場所識別情報算出部
３３３  位置情報通知制御管理部
３３４  ベアラサービス制御部
３３５  無線アクセス手順制御部
【図１】
0005488690.tif 000002
【図２】
0005488690.tif 000003
【図３】
0005488690.tif 000004
【図４】
0005488690.tif 000005
【図５】
0005488690.tif 000006
【図６】
0005488690.tif 000007
【図７】
0005488690.tif 000008
【図８】
0005488690.tif 000009
【図９】
0005488690.tif 000010
【図１０】
0005488690.tif 000011
【図１１】
0005488690.tif 000012
【図１２】
0005488690.tif 000013
【図１３】
0005488690.tif 000014
【図１４】
0005488690.tif 000015